(57)【特許請求の範囲】
【請求項１】
重量物を乗せて水平回転するテーブル本体と当該テーブル本体を回転駆動する電動モータとを有する重量物の水平向きを変えるターンテーブルに用いられ、中に水が所定水位以上に溜まったことが解る水没判定機能付きピットであって、地面に掘られてできた作業用または装置据え付け用の穴と、前記穴の上部を雨漏れがないように覆う構造体と、前記穴の中の水を排水する排水配管と、上を向いた開口部を有する水密の容器とを備え、該容器は前記穴の内部に前記開口部を上方に向けて水に浮かないように据え付けられ、前記容器の前記開口部の高さ位置が、前記電動モータの内部に浸水する水の浸入箇所の高さより若干上方であることを特徴とする水没判定機能付ピット。
【請求項２】
前記構造体が前記テーブル本体であり、前記ターンテーブルは駐車装置に使用され、前記重量物が自動車である、ことを特徴とする請求項１に記載の水没判定機能付ピット。
【請求項３】
中に水が所定水位以上に溜まったことが解る水没判定機能付きピットであって、地面に掘られてできた作業用または装置据え付け用の穴と、前記穴の上部を雨漏れがないように覆う構造体と、前記穴の中の水を排水する排水配管と、上を向いた開口部を有する水密の容器とを備え、容器は前記穴の内部に開口部を上方に向けて水に浮かないように据え付けられ、開口部の高さ位置が判定したい所定水位であり、前記容器の中に入った水に浮く浮体を備え、該浮体が前記開口部を通過自在であることを特徴とする水没判定機能付ピット。
【発明の詳細な説明】
【０００１】
【発明の属する技術分野】
本発明は、水没判定機能付きピットに係る。特に地面に掘られてできた作業用または装置据え付け用の穴（以下、ピットという）内で装置等が水没したことを判定する構造に特徴のある水没判定機能付きピットであって、駐車装置等に使用されるターンテーブルにも適用可能な水没判定機能付きピットに関する。
【０００２】
【従来の技術】
ピットが各種の目的で使用される。例えば、駐車装置等で車両等の物体を前後方向を反転させるためにターンテーブルが用いられる。ターンテーブルはテーブル本体とテーブル本体を回転駆動する電動モータを有し、ピットに据え付けられる。
通常のピットの底面は地表面より低いので、雨水等がピットに流れ込まないように工夫がされている。屋外に設置されるピットには、通常はピットカバーがピットの上面を覆っている。また、ピット内に流れ込んだ雨水等は排水配管によりピット外へ排水される。
【０００３】
集中豪雨等があると、排水配管の排水能力を超える雨水が一時にピット内に流れ込むことがある。雨水はピット内に溜まって所定の水位を維持し、集中豪雨が終わった後、ピット内の水が時間をかけて排水される。ピットの管理者がピットに水が溜まったことに気がつかないこともまれではない。
しかし、ピット内に電動モータ等の水を嫌う装置がある場合に問題が生ずる。ピット内の電動モータ等が水没した後で、水位が下がると、一見電動モータに異常がみられない。電動モータのケーシング内部には浸水した水が残留するので、絶縁抵抗を測定すれば、異常を発見できる。そして、すぐに電動モータのケーシング内に溜まった水を排水し、適正な処置を施せば、問題は生じない。しかし、異常に気づかずに、電動モータを使用すると、最初は不都合なく作動しているが、３ヶ月程度経過すると、ステータの絶縁被膜が劣化して、突然に電動モータが非常停止する。
【０００４】
駐車装置のターンテーブルを例にとり具体的に説明する。図３は、駐車装置のターンテーブルの斜視図である。理解の容易にために、テーブル本体を上方に移動した状態を図示している。
駐車装置のターンテーブル３０は、通常、駐車装置の前面空地に据え付けられるので、露天であることが多い。ターンテーブル３０はテーブル本体３２とテーブル本体を回転駆動する電動モータ３４を有し、ピット３１に据え付けられる。テーブル本体３２は、中心をセンター軸３７により回転自在に拘束され、従動輪３８に回転自在に支持される。電動モータ３４がフリクションローラ３９を介してテーブル本体３２の下面を摩擦駆動する。
【０００５】
雨が降ると、テーブル本体３２が、ピット３１の上面を覆っており、雨水がテーブル本体３２の外周面とピット３１との隙間からピット内に浸入する。浸入した雨水は、ピット３１の底面に設けられた排水配管３３によりピット３１の外へ排水される。排水配管３３の排水能力は十分にあるので、通常であれば、ピット３１内に溜まった雨水の水位が上昇することはない。しかし、予期せぬ集中豪雨が発生することがあり、その場合、ピット３１内に水が溜まり始め、水位が上昇し、電動モータ３４のケーシングが水没することがある。集中豪雨が終了すると、排水配管３３の排水能力が十分にあるので、速やかに排水されてしまい、駐車装置の管理者が、そのことに気がつかないことが多い。駐車装置の定期点検では、電動モータ３４のメガチェック（すなわち、絶縁抵抗値測定）が行われるが、定期点検のサイクルが長い（例えば、半年に一回）ので、その間に、電動モータ３４のケーシングに溜まった水が絶縁被膜を劣化させ、ある日突然に電動モータが非常停止し、ターンテーブル３０が使用できなくなることがあった。
【０００６】
【発明が解決しようとする課題】
短期に行われる定期点検の際に電動モータの水没が発見できれば、電動モータをオーバーホールしてケーシング内に溜まった水を出すことができ、駐車装置のターンテーブルが稼働中に突然に使えなくなるといった不具合は生じない。しかし、目視でおこなう定期点検では、ピット内に水が溜まって電動モータが水没したことを発見できない。また、いつ起こるかわからない突然の電動モータの水没を発見するために、頻繁に電動モータのメガチェックをおこなうことも現実的ではない。
そこで、目視による簡単な点検で、ピットが水没したことを判定する手段が望まれていた。
【０００７】
本発明は以上に述べた問題点に鑑み案出されたもので、従来のピットにかわって、簡単に、ピット内の水没を判定できる水没判定機能付きピット、特にターンテーブル用にも適用できる水没判定機能付ピットを提供しようとする。
【０００８】
【課題を解決するための手段】
上記目的を達成するため、本発明に係る中に水が所定水位以上に溜まったことが解る水没判定機能付きピットは、重量物を乗せて水平回転するテーブル本体と当該テーブル本体を回転駆動する電動モータとを有する重量物の水平向きを変えるターンテーブルに用いられ、地面に掘られてできた作業用または装置据え付け用の穴と、前記穴の上部を雨漏れがないように覆う構造体と、前記穴の中の水を排水する排水配管と、上を向いた開口部を有する水密の容器とを備え、該容器は前記穴の内部に前記開口部を上方に向けて水に浮かないように据え付けられ、前記容器の前記開口部の高さ位置が、前記電動モータの内部に浸水する水の浸入箇所の高さより若干上方である。また、前記構造体が前記テーブル本体であり、前記ターンテーブルは駐車装置に使用され、前記重量物が自動車であってよい。
【０００９】
上記本発明の構成により、構造体が地面に掘られてできた作業用または装置据え付け用の穴の上部を雨漏れがないように覆うので、雨水が直接容器に入らず、排水配管が穴の中の水を排水する。容器は穴の内部に開口部を上方に向けて水に浮かないように据え付けられ、開口部の高さ位置が判定したい所定水位であるので、穴内の水位が上昇して所定水位になると、水が容器に流れ込んで溜まり、穴内の水が排水された後でも、ピット内に水が所定水位以上に溜まったことを知ることが出来る。
【００１０】
また、上記本発明の構成により、テーブル本体が地面に掘られてできた作業用または装置据え付け用の穴の上部を雨漏れがないように覆うので、雨水が直接容器に入らず、排水配管が穴の中の水を底部から排水する。容器は穴の内部に開口部を上方に向けて水に浮かないように据え付けられ、開口部の高さ位置が電動モータの内部に浸水する水の浸入箇所の高さより若干上方であるので、穴内の水位が上昇して所定水位になると、水が容器流れ込んで溜まり、穴内の水が排水された後でも、重量物を乗せて水平回転する円形のテーブル本体を回転駆動する電動モータが水没したことを知ることが出来る。
【００１１】
また、上記目的を達成するため、本発明に係る中に水が所定水位以上に溜まったことが解る水没判定機能付きピットは、地面に掘られてできた作業用または装置据え付け用の穴と、前記穴の上部を雨漏れがないように覆う構造体と、前記穴の中の水を排水する排水配管と、上を向いた開口部を有する水密の容器とを備え、容器は前記穴の内部に開口部を上方に向けて水に浮かないように据え付けられ、開口部の高さ位置が判定したい所定水位であり、前記容器の中に入った水に浮く浮体を備え、該浮体が前記開口部を通過自在である。この水没判定機能付きピットは、前記容器の中に入った水に浮く浮体を備え、該浮体が前記開口部を通過自在であるものとした。上記本発明の構成により、容器に水が入ると、浮体が水に浮いて開口部を通過して外に出て、ピット内の水が排水された後も、ピット内に水が所定水位以上に溜まったことを知ることが出来る。
【００１２】
【発明の実施の形態】
以下、本発明の好ましい実施形態を、図面を参照して説明する。なお、各図において、共通する部分には同一の符号を付し、重複した説明を省略する。
【００１３】
本発明の実施形態に係る水没判定機能付ピットの構造を駐車装置のターンテーブル用のピットに適用した例を基に説明する。図１は、本発明の実施形態の断面図である。図２は、本発明の実施形態の部分断面図である。
【００１４】
駐車装置ターンテーブル１０は、ピット１１とテーブル本体１２と排水配管１３とテーブル駆動電動モータ１４と容器１５とセンター軸１７と従動輪１８とフリクションローラ１９とを備える。
ピット１１は、駐車装置ターンテーブルを納めるために地面を掘ってつくられた穴である。ピット１１は、略円形の穴と円周の一箇所で穴からはみ出た四角い穴を有する。略円形の穴の中央部には盛り上がった台がある。
テーブル本体１２は、自動車を乗せて水平回転し、自動車の前後を向きを変換する装置であり、所定厚みを有する円形のテーブル状構造物である。テーブル本体１２の外周直径は、ピット１１の略円形の穴の内側直径よりわずかに小さな値をもつ。テーブル本体１１は、その上面が道路表面とほぼ同一面となるように、支持され、ピット１１内に収まる。
【００１５】
排水配管１３は、ピット１１に溜まった雨水を排水するための装置であり、ピット１１の底部の中ほどまたは側部の下部分に設けられる。排水配管１３の直径は、通常の雨水であれば、ピット１１内の水位を上昇させることなく、速やかに排水できるだけの太さに計画される。
テーブル駆動電動モータ１４は、減速機を介してフリクションローラ１９を回転駆動する装置であり、ピット１１の四角い穴の中に据え付けられる。テーブル駆動電動モータ１４は、通常、全閉外扇型の誘導モータが使用される。この全閉外扇型の誘導モータは、防滴仕様であるが防水仕様ではないので、水に浸かるとケーシングのどこからか水が浸入する。テーブル駆動電動モータに適する容量の電動モータでは、ケーシングの下面から２０ｃｍ程度まで水位が上昇すると、ケーシング内に浸水することが経験的に解っている。
【００１６】
センター軸１７は、テーブル本体１２の中心部を回転自在に拘束する装置であり、ピット１１の中央にある台の上に設けられる。
従動輪１８は、テーブル本体１２を回転自在に支持する装置であり、複数の従動輪がピット１１の円形の穴の周囲に設けられている。
フリクションローラ１９は、摩擦駆動でテーブル本体１２を回転させる装置であり、テーブル駆動電動モータ１４により駆動され、テーブル本体１２の下面を摩擦駆動する。
【００１７】
容器１５は、水を内部に溜めることのできる筒状容器であり、上部に開口部２０を有する。容器１５の底部は平板であり、安定良く容器を立てることができる。容器１５は、鉄製であり、周囲が水で充満しても浮かないだけの重量を有している。容器１５の底部から開口部までの高さはＨである。容器１５の中には浮体２１を入れることができる。浮体２１は、容器１５の開口部２０を通って自由に通過できる形状をしており、通常球形である。容器１５をピット１１内に据え付けた時、開口部２０の高さは、テーブル駆動電動モータ１４のケーシング下面より約２０ｃｍ上方になる。
【００１８】
次に、駐車装置のターンテーブル用の水没判定機能付ピットの作用を説明する。最初、ピット内には水が溜まっていない。雨が降ると、テーブル本体１２の上に降った雨水は、テーブル本体１２とピット１１の隙間からピット１１内に流れ込む。雨水はピット１１の底部１６に溜まり、排水配管１３を通り外部へ排水される。
予期しない集中豪雨があると、ピット１１に流れこんだ雨水が排水配管１３では排水しきれなくなり、ピット１１内の水位が徐々に上昇する。水位が、テーブル駆動電動モータ１４のケーシング下面より約２０ｃｍ上方になると、水がテーブル駆動電動モータ１４のケーシング内に浸水する。さらに、水が開口部２０から容器１５へ流れ込み、容器１５を満杯にする。容器１５内の浮体２１が浮力で浮き、容器１５の外へ出る。
集中豪雨が終わると、排水配管１３がピット１１内に溜まった雨水を排水するので、ピット１１内の水がなくなる。容器１５の中には水が満杯となり、浮体２１が外に転がっている。
【００１９】
操作員が、定期点検で点検口をあけ、ターンテーブル内を目視検査する。その際に、容器１５の中を見ると、容器１５の中に水が満杯なので、集中豪雨により、テーブル駆動電動モータ１４が水没し、ケーシングに浸水した恐れの有ることを知る。
また、容器内の水が蒸発した後でも、浮体が外に出ているので、集中豪雨により、テーブル駆動電動モータ１４が水没し、ケーシングに浸水した恐れの有ることを知る。メンテナンス員は、操作員から知らせを受け、テーブル駆動電動モータ１４のケーシングを分解掃除し、内部に浸水し溜まった水を外にだす。
【００２０】
上述の実施形態の水没判定機能付ピットを用いれば、容器のなかに水が溜まっているかどうかを目視検査するだけで、水がピット内に所定水位以上に溜まったことを簡単に知ることができる。
また、水没判定機能付ピットをターンテーブル用のピットに適用すれば、容器のなかに水が溜まっているかどうかを目視検査するだけで、ターンテーブルを駆動する電動モータが水没し、ケーシング内に水が溜まっている恐れを容易に知ることができる。
また、容器のなかに浮体を入れておくと、容器の中に溜まった水が蒸発して無くなった後でも、水がピット内に所定水位以上に溜まったことを簡単に知ることができる。
【００２１】
本発明は以上に述べた実施形態に限られるものではなく、発明の要旨を逸脱しない範囲で各種の変更が可能である。
ターンテーブル用に応用した例を説明したがこれに限定されず、他のあらゆるピットに応用できる。
屋外に設置されたピットを例に説明したがこれに限定されず、屋内に設けられたピットでもよい。この場合、屋根が構造体に該当する。
容器は、円筒形のものを例に説明したがこれに限定されず、壺状やピン状でもよいし、ピットに作り付けになっていてもよい。
容器は、自重により水に浮かないと説明したがこれに限定されず、例えば、軽量な容器をピットの底部にボルト付けしてもよい。
容器の開口部の上方に浮体の流出が可能な間隔を隔てて傘様のフタを設けて、容器の開口部の上方からの水滴の浸入をふせいでもよい。
浮体の存在を前提として説明をしたがこれに限定されず、容器内に水が残留している状態を確認すれば、容器の開口部の高さ以上に水位が上がり電動モータが水没したことが分かるので、浮体はなくてもよい。
浮体は、自由に浮いて行ってしまう様に説明したがこれに限定されず、ヒモをつけて一定以上流れない様にしてもよい。
【００２２】
【発明の効果】
以上説明したように本発明の水没判定機能付きピットは、その構成により、以下の効果を有する。
構造体が地面に掘られてできた作業用または装置据え付け用の穴の上部を雨漏れがないように覆うので、雨水が直接容器に入らず、排水配管が穴の中の水を排水する。容器は穴の内部に開口部を上方に向けて水に浮かないように据え付けられ、開口部の高さ位置が判定したい所定水位であるので、穴内の水位が上昇して所定水位になると、水が容器に流れ込んで溜まり、穴内の水が排水された後でも、ピット内に水が所定水位以上に溜まったことを知ることが出来る。
また、テーブル本体が地面に掘られてできた作業用または装置据え付け用の穴の上部を雨漏れがないように覆うので、雨水が直接容器に入らず、排水配管が穴の中の水を底部から排水する。容器は穴の内部に開口部を上方に向けて水に浮かないように据え付けられ、開口部の高さ位置が電動モータの内部に浸水する水の浸入箇所の高さより若干上方であるので、穴内の水位が上昇して所定水位になると、水が容器流れ込んで溜まり、穴内の水が排水された後でも、重量物を乗せて水平回転する円形のテーブル本体を回転駆動する電動モータが水没したことを知ることが出来る。
また、容器に水が入ると、浮体が水に浮いて開口部を通過して外に出て、ピット内の水が排水された後も、ピット内に水が所定水位以上に溜まったことを知ることが出来る。
従って、簡単に、ピット内の水没を判定できる水没判定機能付きピット、特にターンテーブル用にも適用できる水没判定機能付ピットを提供できる。
【００２３】
【図面の簡単な説明】
【図１】本発明の実施形態の断面図である。
【図２】本発明の実施形態の部分断面図である。
【図３】駐車装置のターンテーブルの斜視図である。
【符号の説明】
１０    駐車装置ターンテーブル
１１    ピット
１２    テーブル本体
１３    排水配管
１４    テーブル駆動電動モータ
１５    容器
１６    底部
１７    センター軸
１８    従動輪
１９    フリクションローラ
２０    開口部
２１    浮体
３０    駐車装置ターンテーブル
３１    ピット
３２    テーブル本体
３３    排水配管
３４    テーブル駆動電動モータ
３７    センター軸
３８    従動輪
３９    フリクションローラ
【図１】
0004367682.tif 000002
【図２】
0004367682.tif 000003
【図３】
0004367682.tif 000004